【手続補正書】
【提出日】平成19年12月8日(2007.12.8)
【手続補正１】
【補正対象書類名】特許請求の範囲
【補正対象項目名】全文
【補正方法】変更
【補正の内容】
【特許請求の範囲】
【請求項１】
第一の構成要素および第二の構成要素を含む流体混合物を提供する工程と、
少なくとも１つのソーベントを含むソーベント構造を提供する工程と、
前記第一の構成要素を前記ソーベント上にまたは中に収着する工程と、
前記第一の構成要素を脱着する工程と、
前記流体混合物のベクトル以外の方向に前記第一の構成要素を界面動電的にバイアスする工程とを含む、
流体混合物の構成要素を分離するための方法。
【請求項２】
前記第二の構成要素において濃縮され、前記第一の構成要素において減損される排出流体を収集する工程をさらに含む、
請求項１に記載の方法。
【請求項３】
前記収着する工程によって発生する収着熱を収集する工程をさらに含む、
請求項１に記載の方法。
【請求項４】
プラズマを生成する工程をさらに含む、
請求項１に記載の方法。
【請求項５】
第一の構成要素を含む流体混合物を提供する工程と、
少なくとも１つのソーベントおよび少なくとも１つの触媒を含むソーベント構造を提供する工程と、
前記第一の構成要素を前記ソーベント上にまたは中に収着する工程と、
前記収着した第一の構成要素の反応を触媒し、少なくとも１つの収着した反応生成物を形成する、前記触媒する工程と、
前記収着した反応生成物を脱着する工程と、
前記流体混合物のベクトル以外の方向に前記脱着した反応生成物を界面動電的にバイアスする工程とを含む、
少なくとも１つの反応生成物を生成する方法。
【請求項６】
前記反応生成物を収集する工程をさらに含む、
請求項５に記載の方法。
【請求項７】
第一の構成要素および第二の構成要素を含む流体混合物を提供する工程と、
少なくとも１つのソーベントを含む少なくとも１つのソーベント構造を提供する工程と、
前記第一の構成要素を前記ソーベント上にまたは中に収着する工程と、
前記第一の構成要素を脱着する工程と、
前記流体混合物のベクトル以外の方向に前記第一の構成要素を界面動電的にバイアスする工程と、
前記脱着した第一の構成要素を分析する工程とを含む、
流体混合物の構成要素分析方法。
【請求項８】
第一の構成要素および第二の構成要素を含む流体混合物を提供する工程と、
少なくとも１つのソーベントを含む少なくとも１つのソーベント構造を提供する工程と、
前記第一の構成要素を前記ソーベント上にまたは中に収着する工程と、
前記第一の構成要素を脱着する工程と、
前記流体混合物のベクトル以外の方向に前記第一の構成要素を界面動電的にバイアスする工程と、
前記第二の構成要素において濃縮され、前記第一の構成要素において減損される排出流体流を収集する工程と、
前記排出流体流を分析する工程とを含む、
流体混合物の構成要素分析方法。
【請求項９】
第一の構成要素を含む流体を提供する工程と、
容器内に少なくとも１つのソーベントを含むソーベント構造を提供する工程と、
前記ソーベント上にまたは中に前記第一の構成要素を収着する工程と、
前記第一の構成要素を脱着する工程と、
前記第一の構成要素を界面動電的にバイアスし、前記第一の構成要素を前記流体のベクトル以外の方向に移動させる、前記バイアスする工程と、
前記第一の構成要素を凝縮する工程と、
前記凝縮した第一の構成要素を蒸発させる工程と、
前記蒸発させた第一の構成要素を前記ソーベント上にまたは中に再収着する工程とを含む、
温度制御方法。
【請求項１０】
前記濃縮した第一の構成要素に起電力を適用する工程をさらに含む、
請求項９に記載の温度制御方法。
【請求項１１】
少なくとも１つのソーベントを含むソーベント構造と、
界面動電的なバイアス器と、
脱着器とを含む、
収着装置。
【請求項１２】
少なくとも第一の構成要素および選択的に第二の構成要素を備える流体混合物の源をさらに備える、
請求項１１に記載の収着装置。
【請求項１３】
前記第一の構成要素の回収装置をさらに備える、
請求項１２に記載の収着装置。
【請求項１４】
前記第二の構成要素において濃縮され、前記第一の構成要素において減損された非出流体の回収装置をさらに備える、
請求項１３に記載の収着装置。
【請求項１５】
前記第一の構成要素において減損された非出流体の回収装置をさらに備える、
請求項１１に記載の収着装置。
【請求項１６】
熱交換媒体をさらに備える、
請求項１１に記載の収着装置。
【請求項１７】
液体と液体の接触を増やすために前記熱交換媒体に電気流体力学の力を適用する源をさらに備える、
請求項１６に記載の収着装置。
【請求項１８】
少なくとも１つの電気流体力学ポンプをさらに備える、
請求項１１に記載の収着装置。
【請求項１９】
前記流体混合物が流れる１若しくはそれ以上のチャネルをさらに備える、
請求項１１に記載の収着装置。
【請求項２０】
前記ソーベント構造は少なくとも１つの高アスペクト比の導電体をさらに含む、
請求項１１に記載の収着装置。
【請求項２１】
少なくとも１つの圧電バルブまたはポンプをさらに備える、
請求項１１に記載の収着装置。
【請求項２２】
少なくとも１つの電力調整装置をさらに備える、
請求項１１に記載の収着装置。
【請求項２３】
少なくとも１つの熱電モジュールをさらに備える、
請求項１１に記載の収着装置。
【請求項２４】
少なくとも１つの請求項１１に記載の収着装置を備える、
システム。
【請求項２５】
少なくとも１つの分析装置をさらに備える、
請求項２４に記載のシステム。
【請求項２６】
真空ポンプ、鋳造冷却ボックス、脱水装置、脱臭装置、酸素浄化装置、冷却装置、加熱装置、冷凍装置、ヒートポンプ装置、コンピュータ処理装置、車両、車両の車内の空気を浄化するための装置、車両の車内の水を浄化するための装置、燃料改質装置、燃料浄化装置、燃焼装置、燃料電池、車両の排気を浄化するための装置、汚染対策の装置、人間の住居空間を温度調節するための装置、動物の住居空間を温度調節するための装置、食物保管空間を温度調節するための装置、分析装置のための濃縮器、分析装置、石炭変換のための酸素源、発電装置の酸素源、住宅用または企業用加熱炉の酸素源、燃料電池の酸素源、極低温冷却装置、温度調節装置、およびレーザーのための熱管理装置から成る群から選択される、
請求項２４に記載のシステム。
【請求項２７】
請求項１１の収着装置を備える、患者の体内で必要な身体機能を実行するための無生物組織であって、
前記身体機能は、
血液からの毒素の除去と、
呼吸気からの毒素の除去と、
それらの組み合わせとからなる群から選択される、
無生物組織。
【請求項２８】
第一の基板層と、
前記第一の基板層に隣接して配置されたソーベント層と、
前記第一の基板層および前記ソーベント層のうち少なくとも１つに近接または接触する少なくとも２つの電極と、
前記ソーベント層に隣接して配置された第二の基板層と、
前記第一の基板層、前記ソーベント層、および前記第二の基板層のうち少なくとも１つを介して配置された少なくとも１つのバイアであって、前記少なくとも２つの電極の間に配置された、前記少なくとも１つのバイアと、
前記第一の基板層、前記ソーベント層、および前記第二の基板層のうち少なくとも１つを介して配置された少なくとも１つの収集ポートとを含む、
収着装置。
【請求項２９】
前記ソーベント層内に少なくとも１つの非ソーベント微細構造材料をさらに備える、
請求項２８に記載の収着装置。
【請求項３０】
少なくとも１つのマニホールであって、収着した構成要素を除去する機能、送流を提供する機能、前記収着ユニットに向かって材料を配向するおよび前記収着ユニットから離れるように材料を配向する機能のうち少なくも１つを実行するものである、前記少なくとも１つのマニホールをさらに備える、
請求項２８に記載の収着装置。
【請求項３１】
結合電源および結合多層信号発生器のうち少なくとも１つをさらに備える、
請求項２８の記載の収着装置。
【請求項３２】
第一の基板層と、
前記第一の基板層の下に配置されたソーベント層と、
前記第一の基板層および前記ソーベント層のうち少なくとも１つに近接または接触する少なくとも２つの電極と、
前記ソーベント層の下に配置された第二の基板層と、
前記第一の基板層、前記ソーベント層、および前記第二の基板層のうち少なくとも１つを介して配置された少なくとも１つのバイアであって、前記少なくとも２つの電極の間に配置された、前記少なくとも１つのバイアと、
前記第一の基板層、前記ソーベント層、および前記第二の基板層のうち少なくとも１つを介して配置された少なくとも１つの収集ポートと、
前記第一の基板層および前記ソーベント層のうち少なくとも１つの上に配置された第３の基板層と、
作動流体とを含み、
前記第一の基板層、前記ソーベント層、および前記第二の基板層は、同一平面上にあり、
前記第一の基板層より上の前記第３の基板層の配置は室部を画定し、前記作動流体は前記収着セル内で再利用される、
収着装置。
【請求項３３】
前記ソーベント層内に少なくとも１つの非ソーベント微細構造材料をさらに備える、
請求項３２に記載の収着装置。
【請求項３４】
少なくとも１つのマニホールであって、収着した構成要素を除去する機能、送流を提供する機能、前記収着ユニットに向かって材料を配向するおよび前記収着ユニットから離れるように材料を配向する機能のうち少なくも１つを実行するものである、前記少なくとも１つのマニホールをさらに備える、
請求項３２に記載の収着装置。
【請求項３５】
少なくとも１つの電力調整装置をさらに備える、
請求項３２に記載の収着装置。
【手続補正２】
【補正対象書類名】明細書
【補正対象項目名】００１４
【補正方法】変更
【補正の内容】
【００１４】
しかし、混合物を選択的に分離および／または精製し、反応プロセスを実行できる方法および装置、あるいは加熱、冷却、ヒートポンプ、および／または冷蔵プロセスにおいて使用される場合がある方法および装置、特にサイクル時間を削減し、さらには可動部分、バルブ、スイッチ、およびパージを最小化または排除し、継続的に機能して軽量且つ持ち運び可能な方法および装置に対する継続的且つ差し迫った必要性がある。また、生産費用が安く、維持が容易で、拡張可能な特に可動性の小型アプリケーション用の装置およびシステムに対する必要性もある。本発明は、これらの重要な目標およびその他を対象とする。
この出願の発明に関連する先行技術文献情報としては、以下のものがある（国際出願日以降国際段階で引用された文献及び他国に国内移行した際に引用された文献を含む）。
【特許文献１】米国特許第５，０８５，７８０号明細書